【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
複数の基地局と、中継装置と、を備える無線通信システムにおいて、
前記中継装置は、
前記複数の基地局の少なくとも一つから受信した無線信号を増幅して送信し、
前記各基地局のトラフィック量に基づいて、前記無線信号を送信する範囲を制御することを特徴とする無線通信システム。
【請求項２】
前記中継装置は、
複数の中継セクタアンテナを備え、
前記各基地局のトラフィック量に基づいて、前記無線信号を受信した前記各中継セクタアンテナと、前記受信した無線信号を送信する前記各中継セクタアンテナとの間の接続を制御することによって、前記無線信号を送信する範囲を制御することを特徴とする請求項１に記載の無線通信システム。
【請求項３】
前記無線通信システムは、さらに、前記複数の基地局及び前記中継装置と通信する中継制御部を備え、
前記中継制御部は、
前記各基地局のトラフィック量を示す情報を前記各基地局から取得し、
前記取得したトラフィック量に基づいて、前記送信する無線信号の強度及び前記中継セクタアンテナ間の接続の少なくとも一方を制御する制御信号を生成し、
前記生成した制御信号を前記中継装置に送信し、
前記中継装置は、前記中継制御部から受信した制御信号に基づいて、前記送信する無線信号の強度及び前記中継セクタアンテナ間の接続の少なくとも一方を制御することを特徴とする請求項２に記載の無線通信システム。
【請求項４】
前記各基地局は、複数の基地局セクタを有し、
前記中継装置は、
前記各中継セクタアンテナが最も強く受信する無線信号の送信元である前記基地局セクタを特定し、
前記特定された基地局セクタを識別する情報を前記中継制御部に送信し、
前記中継制御部は、前記特定された基地局セクタを識別する情報及び前記取得したトラフィック量に基づいて、前記制御信号を生成することを特徴とする請求項３に記載の無線通信システム。
【請求項５】
前記中継制御部は、
前記取得したトラフィック量に基づいて、前記複数の基地局の一つを特定し、
前記特定された基地局から受信した無線信号を送信する範囲を拡大または縮小させるように制御する信号を生成することを特徴とする請求項４に記載の無線通信システム。
【請求項６】
前記中継制御部は、前記複数の基地局のうち、前記取得したトラフィック量が相対的に小さい基地局を特定することを特徴とする請求項５に記載の無線通信システム。
【請求項７】
前記複数の基地局は、少なくとも第１基地局と、それ以外の複数の基地局と、を含み、
前記中継制御部は、前記第１基地局以外の複数の基地局のトラフィック量の平均値に対する前記第１基地局のトラフィック量の比率が所定の閾値より小さい場合、前記第１基地局を、前記取得したトラフィック量が相対的に小さい基地局として特定することを特徴とする請求項６に記載の無線通信システム。
【請求項８】
複数のアンテナを備え、少なくとも一つの基地局と少なくとも一つの端末との間の無線信号による通信を中継する中継装置であって、
前記複数のアンテナのうち少なくとも一つは、前記少なくとも一つの基地局との間で無線信号を送受信する基地局側中継セクタアンテナであり、前記複数のアンテナのうち少なくとも一つは、前記少なくとも一つの端末との間で無線信号を送受信する端末側中継セクタアンテナであり、
前記中継装置は、前記無線信号を受信するアンテナと前記アンテナが受信した信号を送信するアンテナとの間の接続を切り替える一つ以上の切替器と、前記アンテナから送信される信号を増幅する一つ以上の増幅器と、前記切替器及び前記増幅器を制御する入出力制御部と、を備えることを特徴とする中継装置。
【請求項９】
前記中継装置は、さらに、状態測定部を備え、
前記状態測定部は、
前記各アンテナが最も強く受信する無線信号を送信した前記基地局の基地局セクタを特定し、
前記特定された基地局セクタを識別する情報を出力することを特徴とする請求項８に記載の中継装置。
【請求項１０】
前記状態測定部は、前記アンテナが受信した信号をディジタルデータに変換するＡＤ変換器と、フレーム同期をとるための同期部と、前記受信した信号を送信した基地局セクタを特定するセルサーチ部と、を備えることを特徴とする請求項９に記載の中継装置。
【請求項１１】
前記中継装置は、前記基地局から前記端末への下り通信の信号のための一つ以上の前記切替器及び一つ以上の前記増幅器と、前記端末から前記基地局への上り通信の信号のための一つ以上の前記切替器及び一つ以上の前記増幅器と、を備え、
前記入出力制御部は、前記下り通信のための切替器及び増幅器、並びに、前記上り通信のための切替器及び増幅器を制御することを特徴とする請求項８乃至１０のいずれか一つに記載の中継装置。
【請求項１２】
前記中継装置は、カバーエリアを拡大すべき前記基地局セクタを特定する情報を受信すると、その情報に基づいて、前記複数のアンテナのうち、前記特定された基地局セクタからの無線信号を最も強く受信する基地局側中継セクタアンテナと、前記基地局側中継セクタアンテナが受信した信号を送信すべき端末側中継セクタアンテナと、を特定することを特徴とする請求項１１に記載の中継装置。
【請求項１３】
前記中継装置は、
前記特定された端末側中継セクタアンテナが送信する信号を増幅する前記増幅器の出力を減少させ、
前記特定された基地局側中継セクタアンテナが受信した信号が前記特定された端末側中継セクタアンテナから送信されるように前記切替器による接続を制御し、
その後、前記特定された端末側中継セクタアンテナが送信する信号を増幅する前記増幅器の出力を増加させることを特徴とする請求項１２に記載の中継装置。
【請求項１４】
前記中継装置は、
前記特定された基地局側中継セクタアンテナが送信する信号を増幅する前記増幅器の出力を減少させ、
前記特定された端末側中継セクタアンテナが受信した信号が前記特定された基地局側中継セクタアンテナから送信されるように前記切替器による接続を制御し、
その後、前記特定された基地局側中継セクタアンテナが送信する信号を増幅する前記増幅器の出力を増加させることを特徴とする請求項１２に記載の中継装置。
【請求項１５】
前記切替器は、前記アンテナの間でやり取りされる信号の通過及び遮断を制御することによって前記接続を実行することを特徴とする請求項８乃至１４のいずれか一つに記載の中継装置。
【請求項１６】
前記切替器は、前記アンテナの間でやり取りされる信号の減衰量を制御することによって前記接続を実行することを特徴とする請求項８乃至１４のいずれか一つに記載の中継装置。
【請求項１７】
複数の基地局と、中継装置と、を備える無線通信システムにおいて前記中継装置を制御する方法であって、
前記方法は、
前記中継装置が、前記複数の基地局の少なくとも一つから受信した無線信号を増幅して送信する手順と、
前記各基地局のトラフィック量に基づいて、前記無線信号を送信する範囲又は強度の少なくとも一方を制御する手順と、を含むことを特徴とする方法。
【手続補正２】
【補正対象書類名】明細書
【補正対象項目名】００２３
【補正方法】変更
【補正の内容】
【００２３】
本願で開示する代表的な発明は、複数の基地局と、中継装置と、を備える無線通信システムにおいて、前記中継装置は、前記複数の基地局の少なくとも一つから受信した無線信号を増幅して送信し、前記各基地局のトラフィック量に基づいて、前記無線信号を送信する範囲を制御することを特徴とする。